(57)【要約】【課題】本発明は、ヒップアップ運動が可能な運動器具に関するものである。【解決手段】本発明の一側面によると、使用者の身体の一部が安着されるベースプレート；ベースプレートに結合され、床面に置かれるように形成されるベースフレーム；使用者が把持できるように形成され、ベースフレームに回動可能に結合され、任意の角度で固定できるように構成される支持フレーム；及び、支持フレームと使用者の足を連結し、弾性変形可能に構成される弾性バンド組立体；を含んでなることを特徴とする、ヒップアップ運動が可能な運動器具が提供される。本発明の運動器具は、使用者が身体の支持位置を把握して位置できるようにベースプレートを具備し、ベースフレームと支持フレームが互いに回動し、任意の角度で固定できるように構成し、さらに、ベースフレームと支持フレームは、そのサイズを可変しうるよう長さ調整が可能な構造としたため、保管が容易であり、支持フレームの把持とベースプレート上の安着に伴う姿勢を調整することで、ヒップアップ運動を行うための最適の位置選定が可能となり、活用度が向上する。【選択図】図１ａ
2013526329.tif 000002
【特許請求の範囲】
【請求項１】
使用者の身体の一部が定着されるベースプレート；
前記ベースプレートに結合され、床面に置かれるように形成されるベースフレーム；
使用者が把持できるように形成され、前記ベースフレームに回動可能に結合され、任意の角度で固定できるように構成される支持フレーム；及び、
前記支持フレームと使用者の足を連結し、弾性変形可能に構成される弾性バンド組立体；を含んでなるが、
前記ベースフレームは、前記支持フレームに結合される固定ベースフレームと、前記ベースプレートが結合され前記固定ベースフレームから伸び縮み可能に構成される拡張ベースフレームとに分かれてなることを特徴とする、ヒップアップ運動が可能な運動器具。
【請求項２】
使用者の身体の一部が安着されるベースプレート；
前記ベースプレートに結合され、床面に置かれるように形成されるベースフレーム；
使用者が把持できるように形成され、前記ベースフレームに回動可能に結合され、任意の角度で固定できるように構成される支持フレーム；及び、
前記支持フレームと使用者の足を連結し、弾性変形可能に構成される弾性バンド組立体；を含んでなるが、
前記支持フレームは、前記ベースフレームに結合される固定支持フレームと、前記固定支持フレームから伸び縮み可能に構成される拡大支持フレームとに分かれてなることを特徴とする、ヒップアップ運動が可能な運動器具。
【請求項３】
請求項１または請求項２において、前記弾性バンド組立体は、
使用者の太ももに着用され、外側面にバンド連結リングが形成された装着バンド；
前記バンド連結リングに締結される第１フック部；
前記支持フレームに締結される第２フック部；及び、
前記第１フック部と第２フック部を連結し、弾性変形可能に形成される連結バンド；を含んでなることを特徴とする、ヒップアップ運動が可能な運動器具。
【請求項４】
請求項３において、
前記支持フレームには、前記第２フック部が締結可能な支持連結リングが形成されるが、
前記支持連結リングは、前記支持フレームの長手方向に沿って複数形成されることを特徴とする、ヒップアップ運動が可能な運動器具。
【請求項５】
請求項３において、
前記連結バンドは、弾性変形されていない状態で長さ調整可能に構成されることを特徴とする、ヒップアップ運動が可能な運動器具。
【請求項６】
請求項１または請求項２において、
前記ベースプレートは地面と平行に形成されることを特徴とする、ヒップアップ運動が可能な運動器具。
【請求項７】
請求項１または請求項２において、
前記ベースプレートの上側にはクッションが形成されることを特徴とする、ヒップアップ運動が可能な運動器具。
【請求項８】
請求項１または請求項２において、
前記ベースフレームと支持フレームは、
いずれかが他方の内部に収まるように形成され、折りたたむ方向に回動したとき同一平面をなすことを特徴とする、ヒップアップ運動が可能な運動器具。
【請求項９】
請求項８において、
前記ベースフレームと支持フレームの回転軸を形成する軸アームが備えられるが、
前記軸アームは、前記ベースフレームと支持フレームの外側に突出し、使用者が把持できるように形成されることを特徴とする、ヒップアップ運動が可能な運動器具。
【請求項１０】
請求項９において、
前記ベースフレームには、前記弾性バンド組立体が締結可能なベース連結リングが形成されるが、
前記ベース連結リングは、前記ベースフレームの長手方向に沿って複数形成されることを特徴とする、ヒップアップ運動が可能な運動器具。
【請求項１１】
請求項１０において、
前記ベース連結リングは、前記軸アームに隣接して形成されることを特徴とする、ヒップアップ運動が可能な運動器具。
【請求項１２】
請求項１または請求項２において、
前記支持フレームには、前記弾性バンド組立体の作用に応じて、使用者の運動状態を表示する表示装置；が形成されることを特徴とする、ヒップアップ運動が可能な運動器具。
【請求項１３】
請求項１２において、
前記ベースフレームには、前記弾性バンド組立体の作用に応じて、使用者の運動状態を表示する表示装置；が形成されることを特徴とする、ヒップアップ運動が可能な運動器具。
【発明の詳細な説明】
【技術分野】
【０００１】
本発明は運動器具に関するものであって、より詳しくは、保管及び運搬が容易であり、場所に限定されることなく運動を楽しむことができ、使用者の身体条件及び望む運動方式に応じて最適の状態で運動を行うことができる、ヒップアップ運動が可能な運動器具に関する。
【背景技術】
【０００２】
秀麗な容貌に対する人間の欲求は単に最近に限ることではなく、より美しく健康的な姿を求めてかつてより努力が続いてきている。ただし、最近では美しい顔に劣らず美しい体つきも注目される時代となり、そのため老若男女を問わずダイエットもしくは美しいボディーライン作りに手間を惜しまない。
【０００３】
人体の外形的形状、即ち体つきにおいて最も重要なのはバランスといえる。背が低かったりやや太っている場合でも、バランスの取れた体つきをしていれば十分に外形的な美感を与えることができ、実際よりスリムに見えたり相対的に背が高く見えたりする。こういったバランスの取れた体つきのために最も重要な部位として、ウェストとヒップのラインが挙げられる。程よくシェイプアップされたボリューム感のあるヒップは、足を長く見せてスリムな印象を与える。
【０００４】
一般に３０代からは筋肉量の減少が徐々に進められ、６０代を超えると筋肉はほとんど衰退してしまうため、持続的な運動が行われない場合、臀部の筋肉は急激に減少し弛んだ形のヒップになり易い。
【０００５】
弾力があって美しいラインのヒップを持つためには、臀部を構成する筋肉の効果的な運動が必要であり、本発明ではそのような形態の運動をヒップアップ（ｈｉｐ  ｕｐ）運動と称する。ヒップアップのためには、お尻の筋肉を引き締める運動をすることが必要となるが、日常の生活で自然とこのような運動が行われることは期待できず、特に肉体的な活動量が著しく減少した現代の生活では、お尻の筋肉の収縮と弛緩が行われる運動が繰り返されることを期待するのは難しい。
【０００６】
従って、ヒップアップのための別途の運動、もしくはそのための装備が必要だといえる。
【０００７】
現在、家庭で使用可能な簡単な形態の運動器具として、ヒップアップ運動が効率的かつ集中的に、そして好適な形態で行われるように補助する器具は、事実上探すのが困難である。ただし、通常の運動器具を揃えているジム施設には、このようなヒップアップ運動が可能な器具が備えられている。しかし一般家庭で使用するにはサイズが大きすぎる上、高価であり、運動方法にバリエーションが少ないため可能な運動ポジションが極めて限られている。
【０００８】
従って、比較的簡単な形態で構成され一般家庭でも使用しやすく、効果的なヒップアップ運動が具現可能な装置の提供が必要とされている。
【０００９】
韓国登録実用新案２０−０４３７４６３号は、スライディング部材と弾力バンドを用いた運動器具を開示しており、腕と足にスライディング部材を固定し弾力バンドを連結した状態で走ったり歩いたりすることで、腕と足、腹部などの全身運動が可能となり、心肺機能が向上できると記載している。
【００１０】
また、韓国登録実用新案２０−０４３７４６３号によるパワーバンド運動器具は、脹脛部位を覆って固定される第１固定部と、前記固定部の外側中心に水平方向に軸結合されるバンド固定軸と、少なくとも前記バンド固定軸の長さより短い幅を有して前記固定軸の内部に固定され、外部にスライディングできるように形成された弾性バンドと、前記弾性バンドの他側に設けられた連結リングと、前記連結リングに結合され手首部位を覆って固定される第２固定部とを含んで構成されている。
【００１１】
韓国登録実用新案２０−０４３７４６３号は、開示しているパワーバンド運動器具によって、腕と足、腹部などの全身運動が可能であることを記載しているが、単に弾性バンドを用いて腕と足の筋力運動が可能との記載のみであって、臀部の筋肉を引き締めることによるヒップアップ運動に関する内容は一切含まれておらず、その形態においても臀部筋肉の集中的な運動といった面では適合しない構成となっている。
【００１２】
一端を手で把持し他端を足に着用した状態での身体の動きによって筋力運動が行われる場合でも、このような動きだけでは臀部筋肉の十分な運動量を期待することは難しく、ましてや集中的なヒップアップ運動は決して期待できないとも言える。
【００１３】
弾性バンドを別途の物体に固定し足を動かすことで臀部の筋肉運動が行われることが考えられるが、開示されていないため、事実上その内容からヒップアップ運動の形態を連想することは不可能であり、使用者の身体的条件に適した形の運動が行われることはなおさら困難である。
【先行技術文献】
【特許文献】
【００１４】
【特許文献１】韓国登録実用新案２０−０４３７４６３号
【発明の概要】
【発明が解決しようとする課題】
【００１５】
本発明は前述のような問題点を解決するために開示されたものであって、本発明の一実施例は、保管及び運搬が容易であり、場所に限定されることなく運動を楽しむことができ、組み立てが容易であるとともに、使用者の身体条件及び望む運動方式に応じた最適な状態でのヒップアップ運動を可能とする、ヒップアップ運動が可能な運動器具を提供する。
【課題を解決するための手段】
【００１６】
本発明の好ましい一実施例は、使用者の身体の一部が安着されるベースプレート；ベースプレートに結合され、床面に置かれるように形成されるベースフレーム；使用者が把持できるように形成され、ベースフレームに互いに回動可能に結合され、任意の角度で固定できるように構成された支持フレーム；及び、支持フレームと使用者の足を連結し、弾性変形可能に構成された弾性バンド組立体；を含んでなることを特徴とする、ヒップアップ運動が可能な運動器具を提供する。
【発明の効果】
【００１７】
前述した本発明の一実施例によると、第一に、使用者が身体の支持位置を把握して位置できるようにベースプレートを具備し、ベースフレームと支持フレームが互いに回動し、任意の角度で固定できるようにすることで、保管が容易であり、支持フレームの把持とベースプレート上の安着による姿勢を調整することにより、ヒップアップ運動のための最適の位置選定が可能である。
【００１８】
第二に、弾性バンド組立体を構成する着用バンドを使用者の太ももに着用可能に形成し、連結バンドの弾力を利用した足の運動時に効果的なヒップアップ運動が行われ、着用バンドと連結バンドが分離できるように形成することで、サイズ別の交換が可能となる。
【００１９】
第三に、支持フレーム上に弾性バンド組立体と結合される支持連結リングを複数形成し、連結バンドの長さを調整できるように形成することで、使用者の身体条件及び運動姿勢に適した位置選定と姿勢維持が可能となる。
【００２０】
第四に、ベースフレームと支持フレームを形成するにおいて、そのサイズを可変に構成し、長さを調整できるように形成することで、活用度が向上する。
【００２１】
第五に、ベースプレートが床面と平行に形成されるため、安定した姿勢を維持でき、痛み誘発を防止する効果が期待できる。
【００２２】
第六に、ベースフレームと支持フレームを折りたためるようにすることで、サイズをコンパクト化し、保管時の利点を提供する。
【００２３】
第七に、軸アームとベース連結リングなどを形成することで、一つの装置のみで、ヒップアップに最も適する様々な形態の運動を可能とする。
【図面の簡単な説明】
【００２４】
【図１ａ】本発明の一実施例によるヒップアップ運動が可能な運動器具を図示した斜視図。
【図１ｂ】本発明の一実施例によるヒップアップ運動が可能な運動器具を図示した斜視図。
【図２】図１ａに図示されたヒップアップ運動が可能な運動器具を図示した側面図。
【図３】図１ａに図示されたヒップアップ運動が可能な運動器具に用いられる弾性バンド組立体を図示した斜視図。
【図４ａ】本発明の他の実施例による弾性バンド組立体を図示した斜視図。
【図４ｂ】本発明の他の実施例による弾性バンド組立体を図示した斜視図。
【図５】本発明のさらに他の実施例によるヒップアップ運動が可能な運動器具を図示した斜視図。
【図６】本発明のさらに他の実施例によるヒップアップ運動が可能な運動器具を図示した側面図。
【図７】本発明のさらに他の実施例によるヒップアップ運動が可能な運動器具を図示した斜視図。
【図８】本発明のさらに他の実施例によるヒップアップ運動が可能な運動器具を図示した斜視図。
【図９】本発明によるヒップアップ運動が可能な運動器具の使用状態を図示した側面図。
【図１０】本発明によるヒップアップ運動が可能な運動器具の他の使用状態を図示した側面図。
【図１１】本発明によるヒップアップ運動が可能な運動器具のさらに他の使用状態を図示した側面図。
【図１２】本発明によるヒップアップ運動が可能な運動器具のさらに他の使用状態を図示した側面図。
【発明を実施するための形態】
【００２５】
図１ａと図１ｂは、本発明の一実施例によるヒップアップ運動が可能な運動器具（１）を図示した斜視図であり、図２は、図１ａに図示されたヒップアップ運動が可能な運動器具（１）を図示した側面図である。
【００２６】
本発明の好ましい実施例によるヒップアップ運動が可能な運動器具（１）は、使用者の身体の一部が安着されるベースプレート（１００）；前記ベースプレート（１００）に結合され床面に置かれるように形成されたベースフレーム（２００）；使用者が把持できるように形成され、前記ベースフレーム（２００）に回動可能に結合され、任意の角度で固定できるように構成される支持フレーム（３００）；及び、前記支持フレーム（３００）と使用者の足を連結し、弾性変形可能に構成される弾性バンド組立体（４００）；を含んでなる。
【００２７】
本発明によるヒップアップ運動が可能な運動器具（１）は、運搬及び保管が容易であり、家庭などでも容易に使用できるように構成された装置であり、臀部を形成する筋肉の引き締め運動に優れた効果を発揮できる。
【００２８】
そのために、本発明による運動器具は、大きく、ベースプレート（１００）とともにベースを形成するベースフレーム（２００）と、前記支持フレーム（３００）及び弾性力を発揮する弾性バンド組立体（４００）と、からなる。
【００２９】
前記ベースプレート（１００）は、使用者が乗ったり、膝を支持したり、あるいは使用者の背が位置したりする部分であり、比較的柔らかい材質で形成して使用者が楽な姿勢で利用できるようにする。前記ベースプレート（１００）に関する詳しい説明は後述する。
【００３０】
前記ベースフレーム（２００）は、前記ベースプレート（１００）と結合され、概ね平らな形態で床面に置かれ、装置の底部を構成し、前記ベースプレート（１００）を支持しながら前記支持フレーム（３００）に連結される。
【００３１】
前記ベースフレーム（２００）は、概ね四角フレーム状に形成され、安定的に使用者の荷重を支えられるよう、金属性の材質からなることが好ましい。前記ベースフレーム（２００）のサイズ（長さ）によって、前記ベースプレート（１００）と前記支持フレーム（３００）との距離が定められ、使用者の腕の長さより多少長く形成されることが好ましい。
【００３２】
前記支持フレーム（３００）は、本発明による装置の使用時においては、前記ベースフレーム（２００）を基準に垂直方向に長く形成されるが、必ず垂直な方向に維持された状態でのみ使用されるとは限らず、前記ベースフレーム（２００）を基準に一定の角度でさらに回動するか少なく回動した状態を保つように形成される。即ち、前記ベースフレーム（２００）と連結される部分を軸にして回動可能に形成されるが、垂直な方向に固定された状態を保つか、垂直に近い状態を保った状態で固定されるように形成される。
【００３３】
前記支持フレーム（３００）が前記ベースフレーム（２００）上で一定の角度を保たせるために、図１ａに図示するように、固定ピン（６００）と固定孔（２３０、３４０）を使用するように形成してもよい。前記固定ピン（６００）は、前記ベースフレーム（２００）と前記支持フレーム（３００）上に形成された固定孔（２３０、３４０）に挿入されるように形成され、前記固定孔（２３０、３４０）は、前記支持フレーム（３００）が前記ベースフレーム（２００）を基準に略垂直に位置したとき互いに一致するように形成され、この時、前記固定ピン（６００）を前記固定孔（２３０、３４０）に挿入して前記支持フレーム（３００）を固定させることができる。
【００３４】
前記支持フレーム（３００）の固定は、図１ｂに図示するように、固定アーム（７００）を用いて行ってもよい。前記固定アーム（７００）は、一端が前記ベースフレーム（２００）または前記支持フレーム（３００）のいずれかに回動可能な形態で結合され、前記固定アーム（７００）が結合されていない残りの支持アームには、前記固定アーム（７００）の他端が連結されるように固定突起（２４０）が形成される。
【００３５】
または、前記ベースフレーム（２００）と前記支持フレーム（３００）を連結する油圧アブソーバー（ショックアブソーバー、ｓｈｏｃｋ  ａｂｓｏｒｂｅｒ）を具備して固定するなど、前記支持フレーム（３００）の固定は、様々な形で行われてもよい。
【００３６】
前述した形態のほか、前記支持フレーム（３００）は、前記ベースフレーム（２００）を基準に一定の角度を保つように調整可能な形態で構成されてもよい。即ち、前記支持フレーム（３００）が前記ベースフレーム（２００）を基準に特定の角度だけを保った状態で固定されるのではなく、他の角度に調整できるように形成されてもよい。
【００３７】
そのために、前記固定孔（２３０、３４０）を前記ベースフレーム（２００）または前記支持フレーム（３００）上の様々な位置に形成するか、前記固定アーム（７００）の長手方向に沿って単位区間ごとに前記固定突起（２４０）に連結できるように形成してもよい。
【００３８】
前記支持フレーム（３００）は、上側に長く形成され、一側に前記弾性バンド組立体（４００）が結合可能な部分が形成され、その上部には使用者が手で把持して支持可能なハンドル（３２０）が備えられる。前記支持フレーム（３００）において、前記弾性バンド組立体（４００）が連結される部分は、使用者の太ももの高さに近接した位置に形成されることが望ましく、床面から５０〜１００ｃｍの高さに形成される。
【００３９】
前記弾性バンド組立体（４００）は、弾性変形可能な形態で構成され、前記支持フレーム（３００）と使用者の足を連結できるように形成される。使用者は、足に前記弾性バンド組立体（４００）の一側を連結させ、前記支持フレーム（３００）に前記弾性バンド組立体（４００）の他端を連結させた後、前記弾性バンド組立体（４００）が引っ張られる方向に力を加えて運動をすることができる。
【００４０】
前述したとおりに、使用者は、前記ベースプレート（１００）上に身体の一部を位置させ、本発明による装置の使用姿勢を取ることができ、手で前記支持フレーム（３００）を把持しながら前記弾性バンド組立体（４００）を引っ張ることで、弾性力を利用したヒップアップ運動を行うことになる。ヒップアップ運動が効果的に行われるためには、安定した姿勢を維持することを必要とし、特に前記弾性バンド組立体（４００）を引っ張りながら臀部の筋肉運動をする過程において、他の部位の筋肉ではなく臀部の筋肉に最適の収縮運動が行われるようにしなければならない。
【００４１】
本発明では、前記ベースプレート（１００）と、使用時の適切な状態に調整された前記支持フレーム（３００）を通して、身体の荷重を分散させるとともに、安定した姿勢を保てるようにし、臀部の筋肉運動時にもこのような姿勢をそのまま保つことができ、臀部筋肉の集中的な運動を可能とする。
【００４２】
このように、本発明によるヒップアップ運動が可能な運動器具（１）は、使用者が身体の支持位置を把握して位置できるように前記ベースプレート（１００）を具備し、前記ベースフレーム（２００）と支持フレーム（３００）が互いに回動して任意の角度で固定できるようにすることで、保管が容易であり、前記支持フレーム（３００）の把持と前記ベースプレート（１００）上の定着による姿勢を調整することで、ヒップアップ運動を行うための最適の位置選定が可能となる。
【００４３】
図３は、図１ａに図示されたヒップアップ運動が可能な運動器具（１）に用いられる弾性バンド組立体（４００）を図示した斜視図であり、図４ａと図４ｂは、本発明の他の実施例による弾性バンド組立体（４００）を図示した斜視図である。
【００４４】
本発明の好ましい実施例によるヒップアップ運動が可能な運動器具（１）において、前記弾性バンド組立体（４００）は、使用者の太ももに着用され、外側面にバンド連結リング（４１１）が形成された着用バンド（４１０）；前記バンド連結リング（４１１）に締結される第１フック部（４２０）；前記支持フレーム（３００）に締結される第２フック部（４３０）；及び、前記第１フック部（４２０）と第２フック部（４３０）とを連結し、弾性変形可能に形成される連結バンド（４４０）；を含んでなる。
【００４５】
また、前記支持フレーム（３００）には、前記第２フック部（４３０）が締結可能な支持連結リング（３１０）が形成されるが、前記支持連結リング（３１０）は、前記支持フレーム（３００）の長手方向に沿って複数形成される。
【００４６】
そして前記連結バンド（４４０）は、弾性変形されていない状態で長さ調整可能に構成される。
【００４７】
前記弾性バンド組立体（４００）は、大きく、使用者の足に着用する着用バンド（４１０）と、弾性力を発揮して使用者の運動時に引っ張られる連結バンド（４４０）に分かれて構成される。
【００４８】
前記着用バンド（４１０）は、使用者の太ももに着用されるものであり、通常の大人の太ももに着用できるように、十分な大きさで形成される。前記着用バンド（４１０）を膝または膝より下の位置に固定して使用する場合には、運動時の姿勢が不便であるのみならず、運動効率も大きく低下する恐れがあるため、太もも部分に着用して使用することが好ましい。
【００４９】
前記着用バンド（４１０）は、身体に着用するものであるため、柔らかい素材から形成することが好ましく、フレキシブルな材質で製造し太ももに不必要な痛みを誘発しないようにすることが好ましい。前記着用バンド（４１０）は、５〜２０ｃｍの幅を有するように形成する。
【００５０】
前記着用バンド（４１０）は、使用者の足周りに沿ってしっかりと着用できるように、面ファスナー（通常、ベルクロ（Ｖｅｌｃｒｏ（登録商標））と呼ばれるもの）を付着して形成してもよい。
【００５１】
前記着用バンド（４１０）の外側面には、前記第１フック部（４２０）が結合されるバンド連結リング（４１１）が形成される。
【００５２】
前記第１フック部（４２０）と第２フック部（４３０）は、前記着用バンド（４１０）と前記支持フレーム（３００）に連結される部分であり、着脱可能な構造からなる。前記第１フック部（４２０）と第２フック部（４３０）は、通常のフック形態からなってもよく、スプリング（未図示）が含まれた形態からなり、締結時には連結部がオープンされ締結後は連結部がつながる構造であってもよい。
【００５３】
前記第１フック部（４２０）と第２フック部（４３０）は、前記連結バンド（４４０）の両端部を成し、前記連結バンド（４４０）は、弾性変形可能な形態からなる。前記連結バンド（４４０）は、天然ゴム、ラテックス、人造ゴム、合成ゴム、メタルスプリングなどからなることができる。
【００５４】
前記第１フック部（４２０）と第２フック部（４３０）が結合された前記連結バンド（４４０）は、前記着用バンド（４１０）と支持フレーム（３００）に１つを結合して使用してもよく、より強い運動強度を求める場合は、２つ以上を結合して使用してもよい。
【００５５】
前記支持フレーム（３００）には、前記第２フック部（４３０）が締結される支持連結リング（３１０）が形成され、前記支持連結リング（３１０）は、前記支持フレーム（３００）の長手方向に沿って複数形成される。前記支持連結リング（３１０）は、使用者の太ももの位置に合う高さに形成されることが好ましく、使用者の身体条件に応じて適切な場所を選択できるように、複数形成される。
【００５６】
前記支持連結リング（３１０）は、前記支持フレーム（３００）に固定された形態で形成されてもよく、それとは異なって回動可能な形態で形成されてもよく、または陥没するか陥没した後突出した形態で形成されてもよい。つまり、前記支持連結リング（３１０）の突出または固定された形態が、本発明による装置の使用などに障害要素として作用しない範囲で、変形可能に形成されてもよい。このような点は、後述するベース連結リング（２１０）にも同様に適用できる。
【００５７】
前記連結バンド（４４０）は、図３に図示するように固定された形態からなってもよく、図４ａと図４ｂに図示するように長さを調整可能な形態で形成されてもよい。
【００５８】
図４ａには、前記連結バンド（４４０）が通常のバッグのひものような構造からなる形態が図示されている。
【００５９】
図４ｂには、前記連結バンド（４４０）の長さ調整のための他の形態の調整装置（４５０）が図示されている。
【００６０】
前記調整装置（４５０）は、前記連結バンド（４４０）の一部が収容される調整ケース（４５１）と、前記調整ケース（４５１）の上部を覆う調整キャップ（４５２）、そして前記連結バンド（４４０）の露出長さを調整する調整バー（４５３）からなる。
【００６１】
前記調整ケース（４５１）は、前記連結バンド（４４０）が巻かれた状態で保管できるように円筒形状で形成され、一側には前記連結バンド（４４０）が巻き出される調整孔（４５１ａ）が形成される。
【００６２】
前記調整バー（４５３）は、前記調整ケース（４５１）の内部に巻かれた状態で維持される前記連結バンド（４４０）の端部に結合され、前記調整キャップ（４５２）の外部に露出された状態で回動可能に形成される。
【００６３】
前記調整キャップ（４５２）には、前記調整バー（４５３）が回動された状態で収納できる調整溝（４５２ａ）が形成され、前記調整溝（４５２ａ）は、円周方向に沿って複数形成され、所定の位置で前記調整バー（４５３）が挿入されるように構成される。前記調整溝（４５２ａ）は、前記調整バーが簡単に外れてしまわないように、堅く嵌るように形成することが好ましい。
【００６４】
このように、前記調整ケース（４５１）の内部に巻かれた状態で維持される前記連結バンド（４４０）を必要なだけ巻き出した後、前記調整バー（４５３）及び調整溝（４５２ａ）を利用して連結バンド（４４０）を固定することができる。
【００６５】
前述したとおりに、前記弾性バンド組立体（４００）を形成する前記着用バンド（４１０）を、使用者の太ももに着用できるように形成し、前記連結バンド（４４０）の弾力を利用した足の運動時に効果的なヒップアップ運動を可能とし、前記着用バンド（４１０）と連結バンド（４４０）が分離できるように形成することで、サイズ別の交換が可能であり、好みの強度に調整することも可能である。
【００６６】
また、前記支持フレーム（３００）上に、前記弾性バンド組立体（４００）と結合される前記支持連結リング（３１０）を複数形成し、前記連結バンド（４４０）を長さ調整可能に形成することで、使用者の身体条件と運動姿勢に適した位置選定と姿勢維持を可能とする。
【００６７】
図５は、本発明のさらに他の実施例によるヒップアップ運動が可能な運動器具（１）を図示した斜視図である。
【００６８】
本発明によるヒップアップ運動が可能な運動器具（１）は、前記支持フレーム（３００）に結合される固定ベースフレーム（２００ａ）と、前記ベースプレート（１００）が結合され前記固定ベースフレーム（２００ａ）から伸び縮み可能に構成される拡張支持フレーム（３００ｂ）に分かれて構成されてもよい。
【００６９】
また、前記支持フレーム（３００）は、前記ベースフレーム（２００）に結合される固定支持フレーム（３００ａ）と、前記固定支持フレーム（３００ａ）から伸び縮み可能に構成される拡張ベースフレーム（２００ｂ）に分かれて構成されてもよい。
【００７０】
前記ベースフレーム（２００）は、前記固定ベースフレーム（２００ａ）と拡張ベースフレーム（２００ｂ）に分かれて構成されることが好ましい。
【００７１】
前記固定ベースフレーム（２００ａ）と拡張ベースフレーム（２００ｂ）は、いずれかが他方の内部に挿入されて固定されるように形成され、前記固定ベースフレーム（２００ａ）と拡張ベースフレーム（２００ｂ）に複数のベース調整溝（２２０）が形成され、前記ベース調整溝（２２０）にボルト（８００）が締結されることにより、双方が結合されるようになる。
【００７２】
前記支持フレーム（３００）も、前記ベースフレーム（２００）と類似な形態で形成され、前記固定支持フレーム（３００ａ）と拡張支持フレーム（３００ｂ）は、いずれかが他方の内部に挿入されて固定されるように構成される。そして、前記固定支持フレーム（３００ａ）と拡張支持フレーム（３００ｂ）には、ボルト（８００）で締結可能な複数の支持調整溝（３３０）が形成される。前記ボルト（８００）は、ネジ結合される通常のボルトのような形態で構成されてもよく、使用者が別途のツールなしで締めたり緩めたりできるように、ネジの頭部が把持可能に形成されていてもよい。
【００７３】
前記ベース調整溝（２２０）と支持調整溝（３００）それぞれは、製作および使用の利便性を考慮し、前記ベースフレーム（２００ａ、２００ｂ）と支持フレーム（３００ａ、３００ｂ）の正面または側面に形成してもよい。
【００７４】
このように、前記ベースフレーム（２００）と支持フレーム（３００）を形成するにおいて、そのサイズを可変に構成し、長さを調整できるように形成することで、本発明によるヒップアップ運動が可能な運動器具（１）の活用度を極大化できる。
【００７５】
図６は、本発明のさらに他の実施例によるヒップアップ運動が可能な運動器具（１）を図示した側面図である。
【００７６】
本発明の好ましい実施例によるヒップアップ運動が可能な運動器具（１）において、前記ベースプレート（１００）は、地面と平行に形成されることが好ましい。
【００７７】
なお、前記ベースプレート（１００）の上側には、クッション（１１０）が形成されてもよい。
【００７８】
前記ベースプレート（１００）には、使用者の足または膝が位置されてもよく、このような姿勢をとった上でヒップアップ運動を行う場合、前記ベースプレート（１００）は、地面と平行に形成されることが好ましい。
【００７９】
例えば、前記ベースプレート（１００）上に乗ってヒップアップ運動を行う場合の姿勢を考慮すると、片方の足は、前記ベースプレート（１００）に固定された姿勢を保ち、他方の足はヒップアップ運動のために動作を繰り返すこととなる。この時、前記ベースプレート（１００）が地面と平行せず傾斜して形成される場合、例えば、前記支持フレーム（３００）に向けて上方に傾斜して形成される場合は、長時間運動を行った際に足首が内側に折れ踵のアキレス腱に負担がかかるため、痛みを誘発させる可能性がある。
【００８０】
逆に、前記ベースプレート（１００）が前記支持フレーム（３００）に向けて下方に傾斜して形成される場合には、使用者の体を支える足（下記運動法１と２を参照）が前記ベースプレート（１００）で十分安定して支持されにくく、長時間運動を行った際に足の裏全体におけるバランスよい支持が困難なため、痛みを誘発させる可能性がある。
【００８１】
従って、前記ベースプレート（１００）は、安定的な支持と痛み誘発の防止のために、地面に対して平行に形成されることが好ましい。
【００８２】
図７は、本発明のさらに他の実施例によるヒップアップ運動が可能な運動器具（１）を図示した斜視図である。
【００８３】
本発明の好ましい実施例によるヒップアップ運動が可能な運動器具（１）において、前記ベースフレーム（２００）と支持フレーム（３００）は、いずれかが他方の内部に収まるように形成され、折りたたんだ際に同一平面を成すように形成される。
【００８４】
なお、前記ベースフレーム（２００）と支持フレーム（３００）の回転軸を形成する軸アーム（５００）が具備され、前記軸アーム（５００）は、前記ベースフレーム（２００）と支持フレーム（３００）の外部に突出し、使用者が把持できるように形成される。
【００８５】
この時、前記ベースフレーム（２００）には、前記第２フック部（４３０）が締結可能なベース連結リング（２１０）が形成され、前記ベース連結リング（２１０）は、前記ベースフレーム（２００）の長手方向に沿って複数形成される。
【００８６】
そして、前記ベース連結リング（２１０）は、前記軸アーム（５００）に隣接して形成される。
【００８７】
本発明の好ましい実施例によるヒップアップ運動が可能な運動器具（１）は、前記ベースフレーム（２００）と支持フレーム（３００）が互いに回動可能に構成され折りたためるようになっているが、より完璧な形態に変形できるよう、前記ベースフレーム（２００）と支持フレーム（３００）は、いずれかが他方の内部に収まるように形成される。
【００８８】
これによって、本発明による装置の体積が最小化でき、保管時に利点を提供する。
【００８９】
ただし、これら装置の構造的変更が可能なことによる効果は、保管上の利点提供だけにとどまらず、本発明によるヒップアップ運動が可能な運動器具（１）の活用度も極大化する。現在までヒップアップ運動のために最も適した姿勢として知られているのは、図９ないし図１２に図示する４つの姿勢だが、本発明による装置は、これらすべての動作が完璧に行われるように形成されたものである。
【００９０】
本発明による装置の使用方法は、後述する。
【００９１】
前記ベースフレーム（２００）と支持フレーム（３００）の連結部分には、前記軸アーム（５００）が形成される。前記軸アーム（５００）は、前記ベースフレーム（２００）と支持フレーム（３００）の回転軸を形成するとともに、使用者が把持できる別途のハンドルとしての役割を果たす。前記支持フレーム（３００）に形成される前記ハンドル（３２０）は、前記支持フレーム（３００）に前記弾性バンド組立体（４００）を締結して運動を行う場合に用いられるものであり、前記軸アーム（５００）は、前記ベースフレーム（２００）に形成される前記第２フック部（４３０）に前記弾性バンド組立体（４００）を連結して使用する場合にハンドルとして機能する。
【００９２】
前記ベースフレーム（２００）には、前記第２フック部（４３０）を締結可能な前記ベース連結リング（２１０）が形成され、前記ベース連結リング（２１０）も、前記支持連結リング（３１０）と同様に、前記ベースフレーム（２００）の長手方向に沿って複数形成されることが好ましい。
【００９３】
なお、前記ベースフレーム（２００）と支持フレーム（３００）の回転軸を形成する軸アーム（５００）が具備され、前記軸アーム（５００）は、前記ベースフレーム（２００）と支持フレーム（３００）の外部に突出し、使用者が把持できるように形成される。
【００９４】
この時、前記ベースフレーム（２００）には、前記第２フック部（４３０）を締結可能なベース連結リング（２１０）が形成され、前記ベース連結リング（２１０）は、前記ベースフレーム（２００）の長手方向に沿って複数形成される。ただし、前記ベース連結リング（２１０）は、前記軸アーム（５００）に近接した位置に形成され、前記ベースプレート（１００）側には、形成される必要はない。
【００９５】
このように、本発明によるヒップアップ運動が可能な運動器具（１）は、前記ベースフレーム（２００）と支持フレーム（３００）が互いに完璧に折りたためるようになっており、サイズをコンパクトに抑えることで保管時の利点を提供し、前記軸アーム（５００）とベース連結リング（２１０）などを形成することで、一つの装置のみでヒップアップに最も適する様々な形態のヒップアップ運動を可能とする。
【００９６】
図８は、本発明の別の実施例によるヒップアップ運動が可能な運動器具（１）を図示した斜視図である。
【００９７】
本発明の好ましい実施例によるヒップアップ運動が可能な運動器具（１）において、前記支持フレーム（３００）または前記ベースフレーム（２００）には、前記弾性バンド組立体（４００）の作用にしたがって使用者の運動状態を表示する表示装置（９００）（８００）；が形成されてもよい。
【００９８】
前記表示装置（９００）（８００）は、使用者の運動状態を表示し、具体的に運動時間、運動回数などを表示するように構成される。前記表示装置（９００）（８００）は、使用者が前記弾性バンド組立体（４００）を繰り返して引っ張りながら運動を行う場合、こういった反復運動回数を感知して表示するように構成される。
【００９９】
そのために、前記表示装置（９００）（８００）は、前記弾性バンド組立体（４００）と機械的・電気的に連結されるが、前記弾性バンド組立体（４００）に作用する力を感知するセンサなどを含んでなってもよい。詳しくは、前記表示装置（９００）（８００）は、前記弾性バンド組立体（４００）と直接連結される前記支持連結リング（３１０）またはベース連結リング（２１０）で繰り返し作用する力を感知する感知部と、前記感知部からの信号を受けて画像情報を表示させる制御部と、前記制御部によって情報を表示する表示部を含んでなることができる。
【０１００】
図８は、前記表示装置（９００）（８００）が前記ベースフレーム（２００）に形成された形態を図示しており、前記弾性バンド組立体（４００）が前記支持連結リング（３１０）と連結される場合に適合するように、前記表示装置（９００）（８００）が前記支持フレーム（３００）上に形成されてもよいのはもちろんのことである。この場合、前記表示装置（９００）（８００）は、前記ハンドル（３２０）に隣接して形成されることが好ましい。
【０１０１】
以下、本発明による装置の使用形態について簡単に説明する。
【０１０２】
図９には、本発明による装置の基本的な使い方が図示されており、これを「運動法１」と称する。使用者は、前記ベースプレート（１００）に乗って、手は前記支持フレーム（３００）のハンドル（３２０）を把持し、体の正面を前記支持フレーム（３００）を向くように保ち、片足は固定された状態を維持し、他方の足は前記連結バンド（４４０）を引っ張るように体の後ろに向けて動かしながら臀部筋肉の収縮運動を繰り返す。
【０１０３】
使用者の体重により前記ベースプレート（１００）及びベースフレーム（２００）は、地面から離隔することなく安定的に固定され、前記ベースフレーム（２００）に連結された前記支持フレーム（３００）には、前記弾性バンド組立体（４００）によって前記ベースフレーム（２００）方向に荷重が加わるため、装置が安定的に維持できる。
【０１０４】
図１０には、他の形態の使い方が図示されており、これを「運動法２」と称する。使用者は、運動法１と同様に前記ベースプレート（１００）に乗るが、体の正面ではなく側面を前記支持フレーム（３００）に向くように保つ。この状態で足を大きく開く動作を繰り返す。
【０１０５】
図１１と図１２には、さらに他の使い方を示し、それぞれ  「運動法３」、「運動法４」と称する。運動法３と４は、前記支持フレーム（３００）と前記ベースフレーム（２００）が重なるように折りたたんだ状態で行われることが好ましく、そのような形態が図示されている。
【０１０６】
運動法３において、使用者は膝が前記ベースプレート（１００）に位置するように体を曲げ前記軸アーム（５００）を把持する。この時、前記弾性バンド組立体（４００）の前記第２フック部（４３０）は、前記ベース連結リング（２１０）に締結される。使用者は、運動を要する足を後ろに動かし、まっすぐ伸ばす動作を繰り返す。
【０１０７】
運動法４において、前記ベースプレート（１００）は、使用者の背が安着される部分である。運動法４でも前記弾性バンド組立体は前記ベース連結リング（２１０）に締結され、使用者はお尻と太もも部分を上側に動かして前記連結バンド（４４０）を引っ張る動作を繰り返す。
【０１０８】
運動法１〜４は、現在までヒップアップ運動のために知られた最適な方法といえる。本発明によるヒップアップ運動が可能な運動器具（１）は、このような様々な形態の運動を統合的に行えるよう提供された装置であり、使用者の身体条件、好みなどに応じた適切な動作を行うことが可能となる。
【産業上の利用可能性】
【０１０９】
本発明による運動器具によると、使用者が身体の支持位置を把握して位置できるようにベースプレートを具備し、ベースフレームと支持フレームが互いに回動し任意の角度で固定できるように構成し、さらに、ベースフレームと支持フレームのサイズを可変に構成し長さを調整できるように形成することにより、保管が容易であり、支持フレームの把持とベースプレート上の安着による姿勢を調整することで、ヒップアップ運動のための最適の位置選定が可能となり、活用度を向上する利点がある。
【０１１０】
また、弾性バンド組立体を形成する着用バンドを使用者の太ももに着用できるように形成し、連結バンドの弾力を利用した足の運動時に効果的なヒップアップ運動を可能とし、着用バンドと連結バンドが分離できるように形成することでサイズ別の交換が可能な利点を提供する。
【符号の説明】
【０１１１】
１：ヒップアップ運動が可能な運動器具  １００：ベースプレート
１１０：クッション  ２００：ベースフレーム
２００ａ：固定ベースフレーム  ２００ｂ：拡張ベースフレーム
２１０：ベース連結リング  ２２０：ベース調整溝
２３０：固定孔  ２４０：固定突起
３００：支持フレーム  ３００ａ：固定支持フレーム
３００ｂ：拡張支持フレーム  ３１０：支持連結リング
３２０：ハンドル  ３３０：支持調整溝
３４０：固定孔
４００：弾性バンド組立体  ４１０：着用バンド
４１１：バンド連結リング
４２０：第１フック部  ４３０：第２フック部
４４０：連結バンド  ４５０：調整装置
４５１：調整ケース  ４５１ａ：調整孔
４５２：調整キャップ  ４５２ａ：調整溝
４５３：調整バー
５００：軸アーム  ６００：固定ピン
７００：固定アーム  ８００：ボルト
９００：表示装置（９００）
【図１ａ】
2013526329.tif 000003
【図１ｂ】
2013526329.tif 000004
【図２】
2013526329.tif 000005
【図３】
2013526329.tif 000006
【図４ａ】
2013526329.tif 000007
【図４ｂ】
2013526329.tif 000008
【図５】
2013526329.tif 000009
【図６】
2013526329.tif 000010
【図７】
2013526329.tif 000011
【図８】
2013526329.tif 000012
【図９】
2013526329.tif 000013
【図１０】
2013526329.tif 000014
【図１１】
2013526329.tif 000015
【図１２】
2013526329.tif 000016
【手続補正書】
【提出日】平成24年11月13日(2012.11.13)
【手続補正１】
【補正対象書類名】明細書
【補正対象項目名】００６８
【補正方法】変更
【補正の内容】
【００６８】
本発明によるヒップアップ運動が可能な運動器具（１）は、前記支持フレーム（３００）に結合される固定ベースフレーム（２００ａ）と、前記ベースプレート（１００）が結合され前記固定ベースフレーム（２００ａ）から伸び縮み可能に構成される拡張ベースフレーム（２００ｂ）に分かれて構成されてもよい。
【手続補正２】
【補正対象書類名】明細書
【補正対象項目名】００６９
【補正方法】変更
【補正の内容】
【００６９】
また、前記支持フレーム（３００）は、前記ベースフレーム（２００）に結合される固定支持フレーム（３００ａ）と、前記固定支持フレーム（３００ａ）から伸び縮み可能に構成される拡張支持フレーム（３００ｂ）に分かれて構成されてもよい。
【手続補正３】
【補正対象書類名】明細書
【補正対象項目名】０１１１
【補正方法】変更
【補正の内容】
【０１１１】
１：ヒップアップ運動が可能な運動器具  １００：ベースプレート
１１０：クッション  ２００：ベースフレーム
２００ａ：固定ベースフレーム  ２００ｂ：拡張ベースフレーム
２１０：ベース連結リング  ２２０：ベース調整溝
２３０：固定孔  ２４０：固定突起
３００：支持フレーム  ３００ａ：固定支持フレーム
３００ｂ：拡張支持フレーム  ３１０：支持連結リング
３２０：ハンドル  ３３０：支持調整溝
３４０：固定孔
４００：弾性バンド組立体  ４１０：着用バンド
４１１：バンド連結リング
４２０：第１フック部  ４３０：第２フック部
４４０：連結バンド  ４５０：調整装置
４５１：調整ケース  ４５１ａ：調整孔
４５２：調整キャップ  ４５２ａ：調整溝
４５３：調整バー
５００：軸アーム  ６００：固定ピン
７００：固定アーム  ８００：ボルト
９００：表示装置
【手続補正４】
【補正対象書類名】図面
【補正対象項目名】図４ｂ
【補正方法】変更
【補正の内容】
【図４ｂ】
2013526329.tif 000017
【国際調査報告】
2013526329.tif 000018
2013526329.tif 000019
2013526329.tif 000020
2013526329.tif 000021